(57)【要約】【課題】隔壁の穴へのグロメットの装着を容易にしたグロメット組立体を提供する。【解決手段】グロメット13と装着補助部材15の組み合わせからなる。初期状態では、各アーム33の基端部が第二のフランジ部19より小径筒部25側に位置し、第二のフランジ部19が縮径した状態で、小径筒部25及びスリーブ31がワイヤーハーネスＷに固定されている。グロメット13を隔壁39の穴41に装着するときは、縮径状態にある第二のフランジ部19を隔壁の穴に挿入し、第一のフランジ部17を隔壁の穴の片側の縁に当接させた後、スリーブ31を矢印Ｐ方向に引っ張る。すると、小径筒部２５及び連結筒部２７が軸線方向に縮みながら、各アーム３３の基端部が第二のフランジ部１９の小径筒部側から反小径筒部側へ移動するため、アーム３３の傾き方向が反転して、第二のフランジ部19が拡径し、第一のフランジ部17と第二のフランジ部19が隔壁39を挟み付けるようになる。【選択図】図１
2008136313.tif 000002
【特許請求の範囲】
【請求項１】
グロメット（１３）と、このグロメットを隔壁の穴に装着する装着補助部材（１５）との組み合わせからなり、
前記グロメット（１３）は、隔壁の穴の片側の縁にセットされる第一のフランジ部（１７）と、前記穴を縮径した状態で通過したのち拡径して前記穴の反対側の縁にセットされる第二のフランジ部（１９）と、両フランジ部の間の環状溝（２１）の底を形成する溝底筒部（２３）と、前記第一のフランジ部側の当該第一のフランジ部から軸線方向に離れた位置でワイヤーハーネス等の長尺体（Ｗ）に固定される前記溝底筒部より内径が小さい小径筒部（２５）と、前記第一のフランジ部と小径筒部とをつなぐ連結筒部（２７）とを有し、前記小径筒部及び連結筒部の少なくとも一方が軸線方向に伸縮可能となっているものからなり
前記装着補助部材（１５）は、前記第二のフランジ部側で前記長尺体に固定されるスリーブ（３１）と、このスリーブに基端部をヒンジ結合され、前記第二のフランジ部に向けて放射状に広がる多数のアーム（３３）とを有するものからなり、
前記グロメット（１３）と装着補助部材（１５）は、各アーム（３３）の先端部を第二のフランジ部（１９）に取り付けることにより組み合わされ、各アーム（３３）の基端部が第二のフランジ部（１９）よりも小径筒部（２５）側に位置するときは第二のフランジ部（１９）が各アーム（３３）の先端部により第一のフランジ部（１７）と反対側へ倒されて縮径し、各アーム（３３）の基端部が第二のフランジ部（１９）よりも反小径筒部側に位置するときは第二のフランジ部（１９）が各アーム（３３）の先端部により起こされて拡径するようになっており、
初期状態では、各アーム（３３）の基端部が第二のフランジ部（１９）より小径筒部側に位置し、第二のフランジ部（１９）が縮径した状態で、前記小径筒部（２５）及びスリーブ（２５）が前記長尺体（Ｗ）に固定されており、グロメット（１３）を隔壁（３９）の穴（４１）に装着するときは、縮径状態にある第二のフランジ部（１９）を隔壁（３９）の穴（４１）に挿入し、第一のフランジ部（１７）を隔壁（３９）の穴（４１）の片側の縁に当接させた後、前記スリーブ（３１）を反小径筒部側方向へ移動させると、前記小径筒部（２５）及び連結筒部（２７）の少なくとも一方が軸線方向に縮みながら、各アーム（３３）の基端部が第二のフランジ部（１９）の小径筒部側から反小径筒部側へ移動し、アーム（３３）の傾き方向が反転して、第二のフランジ部（１９）が拡径した状態に保たれるようになることを特徴とするグロメット組立体。
【請求項２】
装着補助部材（１５）のスリーブ（３１）とアーム（３３）ヒンジ結合部（３５）には、アーム（３３）の傾き方向が反転した後のアーム（３３）の傾き角を規制するストッパー（３７）が設けられていることを特徴とするグロメット組立体。
【発明の詳細な説明】
【技術分野】
【０００１】
本発明は、ワイヤーハーネスや電線等の長尺体が、自動車のパネル等の隔壁に形成された穴を貫通する部分に使用するグロメット組立体に関するものである。
【背景技術】
【０００２】
従来の一般的なグロメットは、外径が隔壁の穴径より大きい第一のフランジ部と、外径が前記穴径より大きく第一のフランジ部の外径より小さい第二のフランジ部と、この二つのフランジ部の間の環状溝の底を形成する溝底筒部と、ワイヤーハーネス等が挿入される前記溝底筒部より内径が小さい小径筒部と、この小径筒部と前記補助フランジ部とをつなぐ連結筒部とを有している。グロメットは、そこにワイヤーハーネス等を挿通し、小径筒部をテープ巻きによりワイヤーハーネス等に固定した状態で使用される（特許文献１参照）。
【０００３】
グロメットを隔壁の穴に装着する場合には、第二のフランジ部を穴に入る大きさに弾性変形させて、穴に挿入する。第一のフランジ部が隔壁に突き当たるまで挿入すると、穴を通過した第二のフランジ部がゴムの弾力性で元の状態に復元し、第二のフランジ部と第一のフランジ部が隔壁の穴の縁を挟み付ける状態となる。
【０００４】
【特許文献１】特開平７−３３６０６８号公報
【発明の開示】
【発明が解決しようとする課題】
【０００５】
しかしながら、従来のグロメットは、第二のフランジ部を隔壁の穴に入る大きさに手指で弾性変形させることが難しく、隔壁の穴への装着作業が困難であるという問題があった。このため、特許文献１に開示されたグロメットは、第一のフランジ部の内周部に縮径用切欠き部を形成して、第一のフランジ部側から第二のフランジ部を縮径させようとしているが、第一のフランジ部と第二のフランジ部の間には環状溝があるため、第一のフランジ部を縮径させても第二のフランジ部を縮径させることは困難である。
【０００６】
本発明の目的は、グロメットの第二のフランジ部を縮径状態に保って隔壁の穴に挿入でき、挿入後に拡径できるようにして、グロメットの装着を簡易化したグロメット組立体を提供することにある。
【課題を解決するための手段】
【０００７】
本発明に係るグロメット組立体は、グロメットと、このグロメットを隔壁の穴に装着する装着補助部材との組み合わせからなり、
前記グロメットは、隔壁の穴の片側の縁にセットされる第一のフランジ部と、前記穴を縮径した状態で通過したのち拡径して前記穴の反対側の縁にセットされる第二のフランジ部と、両フランジ部の間の環状溝の底を形成する溝底筒部と、前記第一のフランジ部側の当該第一のフランジ部から軸線方向に離れた位置でワイヤーハーネス等の長尺体に固定される前記溝底筒部より内径が小さい小径筒部と、前記第一のフランジ部と小径筒部とをつなぐ連結筒部とを有し、前記小径筒部及び連結筒部の少なくとも一方が軸線方向に伸縮可能となっているものからなり
前記装着補助部材は、前記第二のフランジ部側で前記長尺体に固定されるスリーブと、このスリーブに基端部をヒンジ結合され、前記第二のフランジ部に向けて放射状に広がる多数のアームとを有するものからなり、
前記グロメットと装着補助部材は、各アームの先端部を第二のフランジ部に取り付けることにより組み合わされ、各アームの基端部が第二のフランジ部よりも小径筒部側に位置するときは第二のフランジ部が各アームの先端部により第一のフランジ部と反対側へ倒されて縮径し、各アームの基端部が第二のフランジ部よりも反小径筒部側に位置するときは第二のフランジ部が各アームの先端部により起こされて拡径するようになっており、
初期状態では、各アームの基端部が第二のフランジ部より小径筒部側に位置し、第二のフランジ部が縮径した状態で、前記小径筒部及びスリーブが前記長尺体に固定されており、グロメットを隔壁の穴に装着するときは、縮径状態にある第二のフランジ部を隔壁の穴に挿入し、第一のフランジ部を隔壁の穴の片側の縁に当接させた後、前記スリーブを反小径筒部側方向へ移動させると、前記小径筒部及び連結筒部の少なくとも一方が軸線方向に縮みながら、各アームの基端部が第二のフランジ部の小径筒部側から反小径筒部側へ移動し、アームの傾き方向が反転して、第二のフランジ部が拡径した状態に保たれるようになることを特徴とするものである。
【０００８】
本発明に係るグロメット組立体は、装着補助部材のスリーブとアームのヒンジ結合部に、アームの傾き方向が反転した後のアームの傾き角を規制するストッパーが設けられていることが好ましい。
【発明の効果】
【０００９】
本発明に係るグロメット組立体は、装着補助部材をグロメット内に押し込んで、各アームの基端部を第二のフランジ部より小径筒部側に位置させると、第二のフランジ部が縮径し、その後、装着補助部材をグロメット内から引き出して、各アームの基端部を第二のフランジ部より反小径筒部側へ位置させると、第二のフランジ部が拡径するようになっている。したがって、装着補助部材をグロメット内に押し込んだ状態で（つまり第二のフランジ部を縮径させた状態で）、小径筒部及びスリーブを長尺体に固定しておき、この状態で第二のフランジ部を隔壁の穴に挿入し、第一のフランジ部が隔壁に突き当たったところで、スリーブを引っ張れば、第二のフランジ部が拡径し、グロメットを隔壁の穴に装着することができる。したがって、グロメットの装着作業を簡単に、効率よく行うことができる。
【発明を実施するための最良の形態】
【００１０】
図１は本発明に係るグロメット組立体の一実施形態を示す。このグロメット組立体１１は、ゴム製のグロメット１３と、金属又は硬質樹脂製の装着補助部材１５との組み合わせからなる。
【００１１】
グロメット１３は、図２に示すように、隔壁の穴の片側の縁にセットされる第一のフランジ部１７と、前記穴を縮径した状態で通過したのち拡径して前記穴の反対側の縁にセットされる第二のフランジ部１９と、両フランジ部１７、１９の間の環状溝２１の底を形成する溝底筒部２３と、前記第一のフランジ部１７側の当該第一のフランジ部１７から軸線方向に離れた位置でワイヤーハーネスに固定される前記溝底筒部２３より内径が小さい小径筒部２５と、前記第一のフランジ部１７と小径筒部２５とをつなぐラッパ状の連結筒部２７とを有している。第二のフランジ部１９には、内周面から第二のフランジ部１９の内部に達する内周溝２９が形成されている。この内周溝２９は、装着補助部材のアームの先端部（後述）を差し込む部分である。また小径筒部２５には蛇腹状の軸線方向伸縮部２５ａが形成されている。なお、連結筒部２７は蛇腹状ではないが、筒壁のたわみにより軸線方向に伸縮可能である。
【００１２】
一方、装着補助部材１５は、図３に示すように、ワイヤーハーネスを挿通して当該ワイヤーハーネスに固定されるスリーブ３１と、このスリーブ３１の前記小径筒部側の端部から前記第二のフランジ部に向けて放射状に広がる多数のアーム３３とを有している。各アーム３３の基端部は、ヒンジ部３５を介してスリーブ３１に回動可能に結合されている。ヒンジ部３５は、スリーブ３１から放射状に突出するストッパー片３７の背面側に設けられている。各アーム３３の基端部は、二股に分かれており、その一方の分岐片３３ａがヒンジ部３５に接続され、他方の分岐片３３ｂが前記ストッパー片３７と係合するようになっている。
【００１３】
上記のように構成されたグロメット１３と装着補助部材１５は、図１に示すように、装着補助部材１５の各アーム３３の先端部を、グロメット１３の第二のフランジ部１９の内周溝２９に差し込むことにより、組み合わせられ、グロメット組立体１１となる。このように組み立てられたグロメット組立体１１は、図１（Ａ）に示すように、装着補助部材１５をグロメッ１３内に押し込んで、各アーム３３の基端部を第二のフランジ部１９よりも小径筒部２５側に位置させると、第二のフランジ部１９が各アーム３３の先端部により第一のフランジ部１７と反対側へ倒されて縮径した状態となる。また同図（Ｂ）に示すように、装着補助部材１５をグロメット１３内から引き出して、各アーム３３の基端部を第二のフランジ部１９よりも反小径筒部側に位置させると、第二のフランジ部１９が各アーム３３の先端部により起こされて拡径した状態となる。
【００１４】
このグロメット組立体１１は、小径筒部２５及びスリーブ３１にワイヤーハーネスＷを挿通した後、図１（Ａ）の状態、すなわち、各アーム３３の基端部が第二のフランジ部１９より小径筒部側に位置し、第二のフランジ部１９が縮径された状態で、小径筒部２５及びスリーブ３１がワイヤーハーネスＷにテープ巻きＴにより固定される。これが隔壁の穴に装着する前の初期状態である。グロメット１３を隔壁３９の穴４１に装着するときは、図１（Ａ）のように、縮径状態にある第二のフランジ部１９を隔壁３９の穴４１に挿入し、第一のフランジ部１７を隔壁３９の穴４１の縁に当接させる。その後、スリーブ３１を矢印Ｐ方向（グロメット１３内から装着補助部材１５を引き出す方向）に引っ張ると（スリーブ３１はワイヤーハーネスＷに固定されているため、ワイヤーハーネスＷを引っ張ることもスリーブ３１を引っ張ることになる）、小径筒部２５も同方向へ引き寄せられるため、伸縮部２５ａ及び連結筒部２７が軸線方向に縮みながら、各アーム１５の基端部が第二のフランジ部１９の小径筒部２５側から反小径筒部側へ移動する。その結果、同図（Ｂ）のようにアーム３３の傾き方向が反転して、第二のフランジ部１９が拡径し、第一のフランジ部１７と第二のフランジ部１９が隔壁３９の穴４１の縁を挟み付ける状態となる。この状態は、第二のフランジ部１９の弾性復元力とアーム３３の突っ張りにより保持される。なお、この状態では、アーム３３の基端部の分岐片３３ａ、３３ｂがスリーブ３１側のストッパー片３７を跨ぎ、分岐片３３ｂがストッパー片３７に当接するため、アーム３３の傾き角がより確実に一定に保持されることになる。
【００１５】
このように、このグロメット組立体１１を用いると、グロメット組立体１１を図１（Ａ）の状態でワイヤーハーネスに取り付け、縮径状態にある第二のフランジ部１９を壁３９の穴４１へ挿入した後、スリーブ３１を引っ張るだけで、グロメット１３を隔壁３９の穴４１に装着することができ、グロメットの装着作業を簡単に効率よく行うことができる。
【図面の簡単な説明】
【００１６】
【図１】本発明に係るグロメット組立体の一実施形態を示すもので、（Ａ）はグロメットを隔壁の穴に装着する前の状態を、（Ｂ）は装着した後の状態を示す断面図。
【図２】図１のグロメット組立体を構成するグロメットの断面図。
【図３】図１のグロメット組立体を構成する装着補助部材の、（Ａ）は正面図、（Ｂ）は断面図
【符号の説明】
【００１７】
１１：グロメット組立体
１３：グロメット
１５：装着補助部材
１７：第一のフランジ部
１９：第二のフランジ部
２１：環状溝
２３：溝底筒部
２５：小径筒部
２７：連結筒部
２９：内周溝
３１：スリーブ
３３：アーム
３５：ヒンジ部
３９：隔壁
４１：穴
Ｗ：ワイヤーハーネス
Ｔ：テープ巻き
【図１】
2008136313.tif 000003
【図２】
2008136313.tif 000004
【図３】
2008136313.tif 000005